【手続補正書】
【提出日】平成28年7月20日(2016.7.20)
【手続補正１】
【補正対象書類名】特許請求の範囲
【補正対象項目名】全文
【補正方法】変更
【補正の内容】
【特許請求の範囲】
【請求項１】
リコメンダ・システムにおいてユーザーのプライバシーを保護する方法であって、
映画についての、どんな情報をユーザーに公表するかを決定することと、
前記情報を前記ユーザーに送信することと、
前記ユーザーからの難読化された入力を受け入れることと、
前記ユーザーの非プライベートな特徴ベクトルを、前記映画の特徴ベクトルおよび前記ユーザーから受領された前記難読化された入力に基づいて、計算することと、
を含む、前記方法。
【請求項２】
前記ユーザーからの前記難読化された入力は、ユーザーのプライベートな情報を保護するために難読化された映画フィードバックを含み、前記映画フィードバックは、映画レーティングまたは映画ランク付けを含む、請求項１に記載の方法。
【請求項３】
リコメンダ・システムにおいてユーザーのプライバシーを保護する方法であって、
映画情報を受信することと、
ユーザーの映画フィードバックを受け入れることと、
ユーザーのプライベートな情報を受け入れることと、
前記ユーザーのプライベートな情報を保護するために、前記ユーザーの映画フィードバックおよび前記ユーザーのプライベートな情報を使って、難読化値を計算することと、
前記難読化値を送信することと、を含む、前記方法。
【請求項４】
前記ユーザーからの前記難読化値は、ユーザーのプライベートな情報を保護するために難読化された映画フィードバックおよび前記ユーザーのプライベートな情報を含み、前記映画フィードバックは、映画レーティングまたは映画ランク付けを含み、前記ユーザーのプライベートな情報は、特性、特徴、値、またはデータを含み、さらに、前記難読化値は、前記ユーザーの映画フィードバックから前記ユーザーのプライベートな情報の寄与を差し引くことによって計算される、請求項３に記載の方法。
【請求項５】
リコメンダ・システムにおいてユーザーのプライバシーを保護する装置であって、
映画についての、どんな情報をユーザーに公表するかを決定する手段と、
前記情報を前記ユーザーに送信する手段と、
前記ユーザーからの難読化された入力を受け入れる手段と、
前記ユーザーの非プライベートな特徴ベクトルを、前記映画の特徴ベクトルおよび前記ユーザーから受領された前記難読化された入力に基づいて、計算する手段と、を含む、前記装置。
【請求項６】
前記ユーザーからの前記難読化されたデータは、ユーザーのプライベートな情報を保護するために難読化された映画フィードバックを含み、前記映画フィードバックは、映画レーティングまたは映画ランク付けを含み、さらに、前記装置は、前記リコメンダ・システムのリコメンダ部分である、請求項５に記載の装置。
【請求項７】
リコメンダ・システムにおいてユーザーのプライバシーを保護する装置であって、
映画情報を受信する手段と、
ユーザーの映画フィードバックを受け入れる手段と、
ユーザーのプライベートな情報を受け入れる手段と、
前記ユーザーのプライベートな情報を保護するために、前記ユーザーの映画フィードバックおよび前記ユーザーのプライベートな情報を使って、難読化値を計算する手段と、
前記難読化値を送信する手段と、を含む、前記装置。
【請求項８】
前記ユーザーからの前記難読化値は、ユーザーのプライベートな情報を保護するために難読化された映画フィードバックおよび前記ユーザーのプライベートな情報を含み、前記映画フィードバックは、映画レーティングまたは映画ランク付けを含み、さらに、前記ユーザーのプライベートな情報は、特性、特徴、値、またはデータを含む、請求項７に記載の装置。
【手続補正２】
【補正対象書類名】明細書
【補正対象項目名】００９１
【補正方法】変更
【補正の内容】
【００９１】
さらに、添付図面に描かれたシステムの構成要素および方法ステップの幾つかは、好ましくは、ソフトウェアの形態によって実施されるため、システムの構成要素（または処理ステップ）間の実際の接続は、本発明がプログラムされる方法によって異なる場合があることが理解できよう。本明細書の開示する内容に基づいて、関連する技術における当業者であれば、これらの実施態様または構成、さらに、類似した実施態様または構成を企図できるであろう。
いくつかの付記を記載しておく。
〔付記１〕
リコメンダ・システムにおいてユーザーのプライバシーを保護する方法であって、
映画についての、ユーザーに公表する情報を決定することと、
前記情報を前記ユーザーに送信することと、
前記ユーザーからの難読化されたデータを受け入れることと、
前記ユーザーの非プライベートな特徴ベクトルを推定することと、
を含む、前記方法。
〔付記２〕
前記ユーザーからの前記難読化されたデータは、前記ユーザーのプライベートな情報を保護するために難読化された映画フィードバックを含む、付記１に記載の方法。
〔付記３〕
前記映画フィードバックは、映画レーティングまたは映画ランク付けを含む、付記２に記載の方法。
〔付記４〕
リコメンダ・システムにおいてユーザーのプライバシーを保護する方法であって、
映画情報を受信することと、
ユーザーの映画フィードバックを受け入れることと、
前記ユーザーのプライベートな情報を受け入れることと、
難読化値を計算することと、
前記難読化値を送信することと、を含む、前記方法。
〔付記５〕
前記ユーザーからの前記難読化されたデータは、前記ユーザーのプライベートな情報を保護するために難読化された映画フィードバックを含む、付記４に記載の方法。
〔付記６〕
前記映画フィードバックは、映画レーティングまたは映画ランク付けを含む、付記５に記載の方法。
〔付記７〕
前記ユーザーのプライベートな情報は、特性、特徴、値、またはデータを含む、付記４に記載の方法。
〔付記８〕
前記難読化値は、前記ユーザーの映画フィードバックから前記ユーザーのプライベートな情報の寄与を差し引くことによって計算される、付記４に記載の方法。
〔付記９〕
リコメンダ・システムにおいてユーザーのプライバシーを保護する装置であって、
映画についての、ユーザーに公表する情報を決定する手段と、
前記情報を前記ユーザーに送信する手段と、
前記ユーザーからの難読化されたデータを受け入れる手段と、
前記ユーザーの非プライベートな特徴ベクトルを推定する手段と、を含む、前記装置。
〔付記１０〕
前記ユーザーからの前記難読化されたデータは、前記ユーザーのプライベートな情報を保護するために難読化された映画フィードバックを含む、付記９に記載の装置。
〔付記１１〕
前記映画フィードバックは、映画レーティングまたは映画ランク付けを含む、付記１０に記載の装置。
〔付記１２〕
前記装置は、前記リコメンダ・システムのリコメンダ部分である、付記９に記載の装置。
〔付記１３〕
リコメンダ・システムにおいてユーザーのプライバシーを保護する装置であって、
ユーザーの映画フィードバックを受け入れる手段と、
前記ユーザーのプライベートな情報を受け入れる手段と、
難読化値を計算する手段と、
前記難読化値を送信する手段と、を含む、前記装置。
〔付記１４〕
前記ユーザーからの前記難読化されたデータは、前記ユーザーのプライベートな情報を保護するために難読化された映画フィードバックを含む、付記１３に記載の装置。
〔付記１５〕
前記映画フィードバックは、映画レーティングまたは映画ランク付けを含む、付記１４に記載の装置。
〔付記１６〕
前記ユーザーのプライベートな情報は、特性、特徴、値、またはデータを含む、付記１３に記載の装置。
〔付記１７〕
前記難読化値は、前記ユーザーの映画フィードバックから前記ユーザーのプライベートな情報の寄与を差し引くことによって計算される、付記１３に記載の